(57)【要約】【課題】簡素な構造で、様々な対象物に確実に取り付けることができ、着脱が容易で、照明位置や照明方向を自在に選択することができ、量産性、汎用性、固定安定性に優れた着脱式照明具の提供。【解決手段】光源部と光源部に電力を供給する電源部とを内蔵する筐体と、筐体に配設され光源部のオン、オフを切り換える光源スイッチと、筐体に形成又は配設される挟持部と、を有し、挟持部で対象物を挟持することにより、対象物に着脱自在に装着される。【選択図】図１
0003171282.tif 000002
【実用新案登録請求の範囲】
【請求項１】
光源部と前記光源部に電力を供給する電源部とを内蔵する筐体と、前記筐体に配設され前記光源部のオン、オフを切り換える光源スイッチと、前記筐体に形成又は配設される挟持部と、を有し、
前記挟持部で対象物を挟持することにより、前記対象物に着脱自在に装着されることを特徴とする着脱式照明具。
【請求項２】
前記挟持部が、Ｕ字型若しくはコ字型のクリップ状に形成されたことを特徴とする請求項１に記載の着脱式照明具。
【請求項３】
前記挟持部の先端部に形成された抜け止め用の係止突起を備えたことを特徴とする請求項請求項１又は２に記載の着脱式照明具。
【請求項４】
前記挟持部が、バネ性を有することを特徴とする請求項１乃至３の内いずれか１項に記載の着脱式照明具。
【請求項５】
前記挟持部が、前記筐体に形設された係合孔又は係合溝に係合される係合部を備えたことを特徴とする請求項１乃至４の内いずれか１項に記載の着脱式照明具。
【請求項６】
操作部を有し乾電池が内蔵される本体と、前記本体の下部に延設され液体容器の口部から前記液体容器の内部に挿入される液体汲み上げ管と、前記液体容器の外部にある前記本体に延設され前記本体を介して前記液体汲み上げ管と連通する液体吐出管と、を備えた液体ポンプであって、前記本体又は前記液体吐出管の先端部に、請求項１乃至５の内いずれか１項に記載の着脱式照明具が装着されたことを特徴とする液体ポンプ。
【考案の詳細な説明】
【技術分野】
【０００１】
本考案は、使用者が手に持ったり、様々な対象物に着脱自在に取り付けたりして、所望の場所を照明することができる着脱式照明具及びそれを備えることにより夜間や暗所でも液体容器への取り付けや移送先容器への液体の移送などの作業を安全かつ容易に行うことができる液体ポンプに関するものである。
【背景技術】
【０００２】
従来、石油ファンヒーターや石油ストーブなどは、固定式や着脱式のタンクを備えており、これらのタンクへの給油には給油ポンプ（灯油ポンプ）が使用されている。この給油ポンプは、ポリ容器やドラム缶などの貯留タンク（液体容器）に貯留された灯油を石油ファンヒーターや石油ストーブなどのタンク（移送先容器）に給油（移送）するものであり、空気圧で給油する手動式給油ポンプやモータで駆動される羽根車の回転で給油する乾電池式（電動式）給油ポンプがある。特に、乾電池式給油ポンプは、給油動作を自動停止させる自動停止機能付きのものなど、各種形式のものが開発され、普及している。
しかし、灯油が貯留される貯留タンクは、屋外の物置や倉庫などの暗所に保管されることが多く、特に夜間における給油作業は不便であるという問題点があった。
この問題点を解決するために、例えば（特許文献１）には、灯油ポンプの給油口を石油ファンヒーターや石油ストーブなどのタンクの口金などに固定するためのクリップに、ＬＥＤ及び電池を内蔵したカバーを取り付けた灯油ポンプ用ＬＥＤ付固定クリップが開示されている。
また（特許文献２）には、本体部に発光ダイオードを光源とする照明部を配設した給油ポンプが開示されている。
【先行技術文献】
【特許文献】
【０００３】
【特許文献１】特開２００７−３２５４７号公報
【特許文献２】実用新案登録第３１０６８５５号公報
【考案の概要】
【考案が解決しようとする課題】
【０００４】
（１）（特許文献１）では、灯油ポンプの給油口を石油ファンヒーターや石油ストーブなどのタンクの口金などにクリップで固定する際に、ＬＥＤを発光させることにより暗い場所でも固定させる部位を見易くして固定を容易に行うことができる。しかし、ＬＥＤ及び電池を内蔵したカバーがクリップに取り付けられており、クリップよりも下方（給油口の先端側）しか照明できないため、液体汲み上げ管を液体容器の口部に挿入する際に口部を照明することや本体の電源スイッチ等を操作する際に操作部を照明することができず、汎用性、操作性に欠けるという課題を有していた。
（２）（特許文献２）には、照明部を本体部に配設することにより、暗所において、電源スイッチを照明して電源スイッチの操作を簡便に行うこと、カートリッジタンクのインジケータを照明して給油量を確認すること、吐出ホースを照明して給油の状態を確認することなどが記載されているが、照明部と本体部が一体である構造では、照明部の取付位置や取付角度などによって、照明できる箇所、範囲、方向が限定され、遠く離れた位置を確実に照明することが困難な場合があり、汎用性、作業性に欠けるという課題を有していた。
また、（特許文献２）には、照明部を本体部に着脱自在とすることも記載されているが、具体的には、弾性を有する円弧状の取付バンドを本体部に差し込み式に嵌合させるものであり、取付対象が取付バンドの内径と同等の外径を有する円形状のものに限定され、汎用性、固定安定性に欠けるという課題を有していた。
【０００５】
本考案は上記課題を解決するものであり、簡素な構造で、様々な対象物に確実に取り付けることができ、着脱が容易で、照明位置や照明方向を自在に選択することができ、量産性、汎用性、固定安定性に優れた着脱式照明具の提供、及び、必要に応じて、本体や液体吐出管の先端部などに選択的に取り付けた着脱式照明具で所望の位置を照明することができ、夜間や暗所においても、本体の操作部の電源スイッチなどの操作、液体容器の口部への液体汲み上げ管の挿入、移送先容器の供給口への液体吐出管の固定などの作業を確実かつ速やかに行い、液体の移送作業を安全かつ容易に行うことができる汎用性、操作性、作業性に優れた液体ポンプの提供を目的とする。
【課題を解決するための手段】
【０００６】
上記課題を解決するために本考案の着脱式照明具及びそれを備えた液体ポンプは、以下の構成を有している。
本考案の請求項１に記載の着脱式照明具は、光源部と前記光源部に電力を供給する電源部とを内蔵する筐体と、前記筐体に配設され前記光源部のオン、オフを切り換える光源スイッチと、前記筐体に形成又は配設される挟持部と、を有し、前記挟持部で対象物を挟持することにより、前記対象物に着脱自在に装着される構成を有している。
この構成により、以下のような作用を有する。
（１）対象物を挟持する挟持部が、筐体に形成又は配設されていることにより、所望の対象物に容易に装着することができ、着脱作業性に優れる。
（２）挟持部で対象物を挟持することにより、対象物に着脱自在に装着されるので、取付位置や取付方向を自在に選択して所望の位置や方向を確実に照明することができ、汎用性、取扱い性に優れる。
（３）挟持部で対象物を挟持するので、対象物から脱落し難く、固定安定性に優れる。
【０００７】
ここで、光源部の光源としては、ＬＥＤ（発光ダイオード）が好適に用いられる。省電力性、長寿命性に優れるためである。また、ＬＥＤを用いることにより、発熱が少なく、光源部が破損し難く、安全性に優れる。ＬＥＤの発光色、数、配置などは、適宜、選択することができ、発光色の異なるものを複数組合せて用いてもよい。
光源部は筐体に内蔵されるが、光源の先端部（発光部）を筐体の外に露出させるか、透光性のカバーで覆うことにより、光を照射することができる。尚、光源の先端部（発光部）を透光性のカバーで覆う代わりに、筐体全体を透光性の材質で形成してもよい。また、光源部（筐体の内部）に、光源の光を外部に向けて反射する反射板を備えた場合、光を効率的に照射することができる。
電源部の電源としては、コンパクトなボタン電池などの電池が好適に用いられる。
挟持部は筐体と一体に形成してもよいし、別部材で形成したものを配設してもよい。また、挟持部は対象物を挟持できるものであればよく、形状や配置は、適宜、選択することができる。
【０００８】
請求項２に記載の考案は、請求項１に記載の着脱式照明具であって、前記挟持部が、Ｕ字型若しくはコ字型のクリップ状に形成された構成を有している。
この構成により、請求項１の作用に加え、以下の作用を有する。
（１）挟持部が、Ｕ字型若しくはコ字型のクリップ状に形成されることにより、Ｕ字型若しくはコ字型の挟持部の間に対象物を差し込むようにして容易に装着することができ、着脱作業性に優れる。
【０００９】
請求項３に記載の考案は、請求項１又は２に記載の着脱式照明具であって、前記挟持部の先端部に形成された抜け止め用の係止突起を備えた構成を有している。
この構成により、請求項１又は２の作用に加え、以下の作用を有する。
（１）挟持部の先端部に形成された抜け止め用の係止突起を備えることにより、外力などが加わった場合でも、対象物から脱落し難く、固定安定性に優れる。
【００１０】
ここで、係止突起の形状は適宜、選択することができるが、挟持部の開口側（先端側）の高さが低く、根元側の高さが高いテーパ状に形成することにより、対象物に装着する際には挿通し易く、装着した後は対象物から抜き取り難いので、装着作業性、固定安定性に優れる。また、係止突起が対象物の縁に係合する（引っ掛かる）ことにより、着脱式照明具の傾きや回転を防止でき、姿勢の安定性にも優れる。
【００１１】
請求項４に記載の考案は、請求項１乃至３の内いずれか１項に記載の着脱式照明具であって、前記挟持部が、バネ性を有する構成を有している。
この構成により、請求項１乃至３の内いずれか１項の作用に加え、以下の作用を有する。
（１）挟持部が、バネ性を有することにより、対象物を強固に保持することができ、固定の確実性に優れる。
（２）挟持部が、バネ性を有するので、対象物の幅（厚さ）の影響を受け難く、挟持部で確実に対象物を挟持することができ、汎用性に優れる。
【００１２】
ここで、挟持部を板バネ状に形成し、挟持部自体がバネ性を有するようにしてもよいし、固定片に対向させて挟持片を回動自在（開閉自在）に配設し、コイルバネなどで挟持部の先端側（開口側）が閉じる方向に付勢するようにしてもよい。
【００１３】
請求項５に記載の考案は、請求項１乃至４の内いずれか１項に記載の着脱式照明具であって、前記挟持部が、前記筐体に形設された係合孔又は係合溝に係合される係合部を備えた構成を有している。
この構成により、請求項１乃至４の内いずれか１項の作用に加え、以下の作用を有する。
（１）挟持部が、筐体に形設された係合孔又は係合溝に係合される係合部を備えることにより、別部材で形成した挟持部の係合部を筐体の係合孔又は係合溝に差し込むだけで簡便かつ確実に筐体に挟持部を取り付けることができ、量産性、組立作業性に優れる。
（２）挟持部の係合部が、筐体の係合孔又は係合溝に係合されて固定されるので、挟持部を容易に着脱することができ、挟持部が変形したり、破損したりした場合には、挟持部のみを簡単に取り替えることが可能で、省資源性に優れる。
【００１４】
ここで、係合孔や係合溝の形状や配置などは、適宜、選択することができる。また、挟持部の係合部は、係合孔や係合溝の形状に合わせて形成することができる。
【００１５】
本考案の請求項６に記載の液体ポンプは、操作部を有し乾電池が内蔵される本体と、前記本体の下部に延設され液体容器の口部から前記液体容器の内部に挿入される液体汲み上げ管と、前記液体容器の外部にある前記本体に延設され前記本体を介して前記液体汲み上げ管と連通する液体吐出管と、を備えた液体ポンプであって、前記本体又は前記液体吐出管の先端部に、請求項１乃至５の内いずれか１項に記載の着脱式照明具が装着された構成を有している。
この構成により、以下のような作用を有する。
（１）本体に着脱式照明具を装着することにより、夜間や暗所において操作部を照明することができ、電源スイッチなどの操作を確実に行うことが可能で、操作性に優れる。
（２）本体に着脱式照明具を装着することにより、夜間や暗所において液体容器の口部や液体汲み上げ管の先端部を照明することができ、液体汲み上げ管を確実に液体容器の口部から液体容器の内部に挿入することが可能で、装着作業性に優れる。
（３）液体吐出管の先端部に着脱式照明具を装着することにより、夜間や暗所において液体吐出管の先端部や移送先容器の供給口を照明することができ、液体吐出管の先端部を容易に移送先容器の供給口に固定することが可能で、液体が外部に漏れることを防止して移送先容器に確実に液体を移送することができ、安全性、液体の移送作業性に優れる。
（４）着脱式照明具により、移送先容器の液面や移送先容器に設けられた液面計（インジケータ）を照明することができるので、夜間や暗所でも移送先容器内部の液体の貯留量を容易に目視確認することができ、安全性に優れる。
【００１６】
ここで、本体に着脱式照明具を装着する場合は、本体の側面部（外周面）や上端面などに取り付けることができる。例えば、既存の液体ポンプの本体に形成された吊り下げ用孔や液体ポンプを使用しない時に液体吐出管の先端側を保持する（引っ掛ける）ためのフックなどの突起部を利用して固定できる。
液体吐出管の先端部に着脱式照明具を装着する場合は、液体吐出管の先端部を移送先容器の供給口に固定するためのクリップなどを利用して固定できる。
尚、本体や液体吐出管の先端部に、着脱式照明具を装着するための装着用突起を備えた専用の液体ポンプと組み合わせてもよい。
【考案の効果】
【００１７】
請求項１に記載の考案によれば、以下のような効果を有する。
（１）対象物への取付位置や取付方向を自在に選択して装着することができ、所望の位置や方向を確実に照明することができ汎用性、取扱い性に優れた着脱式照明具を提供することができる。
【００１８】
請求項２に記載の考案によれば、請求項１の効果に加え、以下のような効果を有する。
（１）Ｕ字型若しくはコ字型の挟持部の間に対象物を差し込むようにして容易に装着することができる着脱作業性に優れた着脱式照明具を提供することができる。
【００１９】
請求項３に記載の考案によれば、請求項１又は２の効果に加え、以下のような効果を有する。
（１）外力などが加わった場合でも、対象物から脱落し難く、固定安定性に優れた着脱式照明具を提供することができる。
【００２０】
請求項４に記載の考案によれば、請求項１乃至３の内いずれか１項の効果に加え、以下のような効果を有する。
（１）対象物を強固に保持することができる固定の確実性に優れた着脱式照明具を提供することができる。
【００２１】
請求項５に記載の考案によれば、請求項１乃至４の内いずれか１項の効果に加え、以下のような効果を有する。
（１）別部材で形成した挟持部の係合部を筐体の係合孔又は係合溝に差し込むだけで簡便かつ確実に筐体に挟持部を取り付けることができる量産性、組立作業性に優れた着脱式照明具を提供することができる。
【００２２】
請求項６に記載の考案によれば、以下のような効果を有する。
（１）夜間や暗所においても、液体容器や移送先容器への装着や操作を簡便かつ確実に行うことができ、移送先容器内部の液体の貯留量の目視確認を容易に行うことができる取扱い性、操作性、安全性に優れた液体ポンプを提供することができる。
【図面の簡単な説明】
【００２３】
【図１】実施の形態１の着脱式照明具の模式正面図
【図２】（ａ）実施の形態１の着脱式照明具の模式正面図（ｂ）実施の形態１の着脱式照明具の模式側面図
【図３】実施の形態１の着脱式照明具が装着される液体ポンプの模式斜視図
【図４】実施の形態１の液体ポンプにおける着脱式照明具の第１の装着状態を示す要部拡大模式背面図
【図５】実施の形態１の液体ポンプにおける着脱式照明具の第２の装着状態を示す要部拡大模式正面図
【考案を実施するための最良の形態】
【００２４】
（実施の形態１）
本考案の実施の形態１における液体ポンプについて、以下図面を参照しながら説明する。
図１は実施の形態１の着脱式照明具の模式斜視図であり、図２（ａ）は実施の形態１の着脱式照明具の模式正面図であり、図２（ｂ）は実施の形態１の着脱式照明具の模式側面図である。
図１及び図２中、１は実施の形態１の着脱式照明具、２は光源部３と光源部３に電力を供給する電源部（図示せず）とを内蔵する着脱式照明具１の筐体、４は筐体２の上面部に配設され光源部３のオン、オフを切り換える着脱式照明具１の光源スイッチ、５はＵ字型のクリップ状に形成され筐体２の底面部に配設された着脱式照明具１の挟持部、５ａは筐体２の底面部に当接する挟持部５の固定片、５ｂは固定片５ａと間隔をあけて対向配置され固定片５ａとの間で対象物を挟持する挟持部５の挟持片、５ｃは挟持片５ｂの開口側（先端側）に形成された抜け止め用の係止突起、６は固定片５ａに連設され筐体２に形設された係合孔２ａに係合されて挟持部５を筐体２に固定する係合部である。
【００２５】
光源部３の光源には、省電力性、長寿命性に優れるＬＥＤ（発光ダイオード）を用いた。光源にＬＥＤを用いることにより、発熱が少なく、光源部３が破損し難く、安全性に優れる。ＬＥＤの発光色、数、配置などは、適宜、選択することができ、発光色の異なるものを複数組合せて用いてもよい。
本実施の形態では光源の先端部（発光部）を筐体２の外（先端側）に露出させたが、透光性の筐体又はカバーで覆ってもよい。また、光源部３の光が効率的に照射できるように、筐体２の内部に光源の光を外部に向けて反射する反射板を設けてもよい。
尚、電源部の電源としては、コンパクトなボタン電池を用いた。
【００２６】
本実施の形態では、固定片５ａと挟持片５ｂでＵ字型のクリップ状に形成した挟持部５を筐体２の底面部に配設したが、挟持部５は対象物を挟持できるものであればよく、形状や配置は、適宜、選択することができる。尚、挟持部５の挟持片５ｂを板バネ状に形成し、挟持部５自体がバネ性を有するようにすれば、対象物を強固に保持することができ、固定の確実性に優れる。また、挟持部５が、バネ性を有することにより、対象物の幅（厚さ）の影響を受け難く、挟持部５で確実に対象物を挟持することができ、汎用性に優れる。尚、挟持部５自体がバネ性を有する代わりに、固定片５ａに対して挟持片５ｂを回動自在（開閉自在）に配設し、コイルバネなどで挟持部５の先端側（開口側）が閉じる方向に挟持片５ｂを付勢するようにしてもよい。
挟持片５ｂの係止突起５ｃは、挟持部５の開口側（先端側）の高さが低く、根元側の高さが高いテーパ状に形成した。これにより、対象物に装着する際には挿通し易く、装着した後は対象物から抜き取り難いので、装着作業性、固定安定性に優れる。また、係止突起５ｃが対象物の縁に係合する（引っ掛かる）ことにより、着脱式照明具１の傾きや回転を防止でき、姿勢の安定性にも優れる。
本実施の形態では、筐体２と挟持部５を別部材で形成し、筐体２に形設された係合孔２ａに挟持部５の係合部６を係合させて、挟持部５を筐体２に固定したが、挟持部５の固定方法はこれに限定されるものではない。また、挟持部５は筐体２と一体に形成してもよく、その場合、固定片５ａを省略し、挟持片５ｂのみを筐体２の側面部や底面部に対向させて形成することにより、筐体２の側面部や底面部を固定片５ａの代わりに利用できる。
【００２７】
以上のように構成された実施の形態１の着脱式照明具が装着される液体ポンプについて説明する。
図３は実施の形態１の着脱式照明具が装着される液体ポンプの模式正面図である。
図３中、１０は実施の形態１の着脱式照明具１が装着される液体ポンプ、１１は乾電池が内蔵される液体ポンプ１０の本体、１２は本体１１の上端面に駆動スイッチ１２ａが配設された操作部、１３は本体１２の下部に延設され液体容器の口部から液体容器の内部に挿入される液体ポンプ１０の液体汲み上げ管、１４は液体容器の外部にある本体１１に延設され本体１１を介して液体汲み上げ管１３と連通する液体ポンプ１０の液体吐出管、１５は液体吐出管１４の先端部に配設され液体吐出管１４を移送先容器の供給口に固定するためのクリップ、１６は本体１１の側面部に形設され液体ポンプ１０を使用しない時にクリップ１５を引っ掛けて液体吐出管１４の先端側を保持するためのフック、１６ａはフック１６に形成された突起部である。
【００２８】
次に、実施の形態１の着脱式照明具の使用方法について説明する。
図４は実施の形態１の液体ポンプにおける着脱式照明具の第１の装着状態を示す要部拡大模式背面図であり、図５は実施の形態１の液体ポンプにおける着脱式照明具の第２の装着状態を示す要部拡大模式正面図である。
【００２９】
図４においては、本体１１の側面部に形設されたフック１６の突起部１６ａを着脱式照明具１の挟持部５で挟持することにより、液体ポンプ１０の本体１１に着脱式照明具１を装着した。夜間や暗所での液体ポンプ１０の使用開始時に液体汲み上げ管１３を液体容器の口部に挿入する際に、着脱式照明具１の光源スイッチ４をオンにすることにより、本体１１より下方の液体汲み上げ管１３の先端側を照明することができるので、液体汲み上げ管１３を確実に液体容器の口部から液体容器の内部に挿入することができ、作業性に優れる。
また、着脱式照明具１は着脱自在なので、操作部１２の駆動スイッチ１２ａを操作する際には、着脱式照明具１を取り外し、本体１１の上端面を照明することにより、駆動スイッチ１２ａを確実に操作して誤操作などを防止でき、操作性に優れる。
尚、本実施の形態では、操作部１２が本体１１の上端面に設けられた液体ポンプ１０について説明したが、操作部１２が本体１１の正面や側面などに設けられている場合は、液体ポンプ１０の本体１１に着脱式照明具１を装着した状態で操作部１２を照明することもでき、操作性に優れる。
さらに、液体の移送中に、着脱式照明具１で液体容器を照明して液体容器内の液体の残量を確認することや液体吐出管１４を照明して液体吐出管１４の中を液体が流れているかどうかを確認することができ、汎用性、作業性に優れる。
【００３０】
図５においては、液体吐出管１４の先端部に配設されたクリップ１５を着脱式照明具１の挟持部５で挟持することにより、液体吐出管１４の先端部に着脱式照明具１を装着した。夜間や暗所での液体ポンプ１０の使用時に液体吐出管１４を移送先容器の供給口に固定する際に、着脱式照明具１の光源スイッチ４をオンにすることにより、クリップ１５より下方の液体吐出管１４の先端側を照明することができるので、液体吐出管１４を確実に移送先容器の供給口に固定することができ、作業性に優れる。また、移送先容器が、内部の液体の貯留量を示すインジケータを有する場合は、着脱式照明具１の照明により貯留量を確認することができるので、液体ポンプ１０が自動停止機能を備えていなくても、液体が外部に溢れることを防止でき、安全性に優れる。
【００３１】
実施の形態１における着脱式照明具によれば、以下の作用を有する。
（１）対象物を挟持する挟持部が、筐体に配設されていることにより、所望の対象物に容易に装着することができ、着脱作業性に優れる。
（２）挟持部で対象物を挟持することにより、対象物に着脱自在に装着されるので、取付位置や取付方向を自在に選択して所望の位置や方向を確実に照明することができ、汎用性、取扱い性に優れる。
（３）挟持部で対象物を挟持するので、対象物から脱落し難く、固定安定性に優れる。
（４）挟持部が、Ｕ字型のクリップ状に形成されることにより、Ｕ字型の挟持部の間に対象物を差し込むようにして容易に装着することができ、着脱作業性に優れる。
（５）挟持部の先端部に形成された抜け止め用の係止突起を備えることにより、外力などが加わった場合でも、対象物から脱落し難く、固定安定性に優れる。
【００３２】
実施の形態１における着脱式照明具を備えた液体ポンプによれば、以下の作用を有する。
（１）本体に着脱式照明具を装着することにより、夜間や暗所において操作部を照明することができ、電源スイッチなどの操作を確実に行うことが可能で、操作性に優れる。
（２）本体に着脱式照明具を装着することにより、夜間や暗所において液体容器の口部や液体汲み上げ管の先端部を照明することができ、液体汲み上げ管を確実に液体容器の口部から液体容器の内部に挿入することが可能で、装着作業性に優れる。
（３）液体吐出管の先端部に着脱式照明具を装着することにより、夜間や暗所において液体吐出管の先端部や移送先容器の供給口を照明することができ、液体吐出管の先端部を容易に移送先容器の供給口に固定することが可能で、液体が外部に漏れることを防止して移送先容器に確実に液体を移送することができ、安全性、液体の移送作業性に優れる。
（４）着脱式照明具により、移送先容器の液面や移送先容器に設けられた液面計（インジケータ）を照明することができるので、夜間や暗所でも移送先容器内部の液体の貯留量を容易に目視確認することができ、安全性に優れる。
【産業上の利用可能性】
【００３３】
本考案は、簡素な構造で、様々な対象物に確実に取り付けることができ、着脱が容易で、照明位置や照明方向を自在に選択することができ、量産性、汎用性、固定安定性に優れた着脱式照明具の提供、及び、必要に応じて、本体や液体吐出管の先端部などに選択的に取り付けた着脱式照明具で所望の位置を照明することができ、夜間や暗所においても、本体の操作部の電源スイッチなどの操作、液体容器の口部への液体汲み上げ管の挿入、移送先容器の供給口への液体吐出管の固定などの作業を確実かつ速やかに行い、液体の移送作業を安全かつ容易に行うことができる汎用性、操作性、作業性に優れた液体ポンプの提供を行い、特に乾電池式の液体ポンプの普及に貢献することができる。
【符号の説明】
【００３４】
１  着脱式照明具
２  筐体
３  光源部
４  光源スイッチ
５  挟持部
５ａ  固定片
５ｂ  挟持片
５ｃ  係止突起
６  係合部
１０  液体ポンプ
１１  本体
１２  操作部
１２ａ  駆動スイッチ
１３  液体汲み上げ管
１４  液体吐出管
１５  クリップ
１６  フック
１６ａ  突起部
【図１】
0003171282.tif 000003
【図２】
0003171282.tif 000004
【図３】
0003171282.tif 000005
【図４】
0003171282.tif 000006
【図５】
0003171282.tif 000007